(57)【特許請求の範囲】
【請求項１】
正面及び背面と、前後方向及び厚さ方向とを有する平面ハンドル装置であって、
ケースと、前記ケースに引き出し旋回可能に軸支されたハンドルと、前方へばね付勢された状態で前記ケース内に収納され、前記ハンドルの旋回と連動して前後方向へ直線往復運動可能なラッチ体とを備え、
前記ケースは、前記ハンドルの作用突子が挿通される透孔を有し、前記ラッチ体は、前記透孔と前記厚さ方向において連通する突子受孔を有し、前記ハンドルの前記作用突子は前記透孔から前記突子受孔に挿入されており、
施錠状態において、前記作用突子と前記突子受孔の後方内壁との間には、前記ラッチ体を後退させるための解除具の先端が進退可能に挿入される第１操作スペースが形成されており、
前記突子受孔の前記後方内壁の正面側の端縁は、後方へ傾斜しており、
前記後方内壁は、前記作用突子が当接する水平面と、前記端縁からなる傾斜面とを有し、
前記解除具は、前記ハンドルと前記透孔の内壁との間から前記第１操作スペースに挿入可能であって、その一部が前記ハンドルに当接し、かつ、他の部分が前記透孔の内壁に当接した状態でそれらを支点として前記ラッチ体を後退させることができ、
前記ラッチ体は、背面側から正面側へ延びる背面開口部を有し、前記背面開口部内には前記解除具の先端が進退可能に挿入される第２操作スペースが形成されることを特徴とする前記平面ハンドル装置。
【請求項２】
前記ハンドルの前記作用突子と前記傾斜面との傾斜角度は、約１５〜４５度である請求項１に記載の平面ハンドル装置。
【請求項３】
前記ラッチ体を背面側から被覆する背面パネルをさらに有し、前記背面パネルには前記厚さ方向において前記背面開口部と連通する挿通孔を有し、前記挿通孔の前記前後方向の寸法は、前記背面開口部の前記前後方向の寸法よりも大きい請求項１又は２に記載の平面ハンドル装置。
【請求項４】
前記背面開口部は前記突子受孔よりも後方に位置する請求項１〜３のいずれかに記載の平面ハンドル装置。
【発明の詳細な説明】
【技術分野】
【０００１】
本発明は、扉等に使用される平面ハンドル装置に関する。
【背景技術】
【０００２】
特許文献１に開示された平面ハンドル装置は、扉等に固定されたケースと、ケースの正面凹部に引き出し旋回可能に収容されたハンドルと、ハンドルの旋回に連動して前後往復運動可能なラッチ体とを含む。
【先行技術文献】
【特許文献】
【０００３】
【特許文献１】特開平８−２４６７３５号公報
【発明の概要】
【発明が解決しようとする課題】
【０００４】
特許文献１に開示の平面ハンドル装置によれば、ハンドルを引き出し旋回させることによって、その作動突子がラッチ体を付勢手段に抗して後退させ、ラッチ体の先端が固定枠体側の受溝から離脱して、施錠が解除される。
【０００５】
しかし、かかる平面ハンドル装置においては、例えば、比較的に強い力で引っ張ったり、経時劣化等によってハンドルの把持部が折れたりしてハンドル操作ができなくなった場合には、解錠することができない。このような非常時において、特に緊急性を要する場合には、解錠のための特別な工具等を用いることなく、簡易かつ迅速に解錠できる機構が求められる。
【０００６】
本発明は、従来の平面ハンドル装置の改良であって、ハンドルによる操作ができないような非常時であって、簡易かつ迅速に解錠することのできる機構を備えた平面ハンドル装置に関する。
【課題を解決するための手段】
【０００７】
前記課題を解決するために、本発明は、正面及び背面と、前後方向及び厚さ方向とを有する平面ハンドル装置に関する。
【０００８】
本発明に平面ハンドル装置は、ケースと、前記ケースに引き出し旋回可能に軸支されたハンドルと、前方へばね付勢された状態で前記ケース内に収納され、前記ハンドルの旋回と連動して前後方向へ直線往復運動可能なラッチ体とを備え、前記ケースは、前記ハンドルの作用突子が挿通される透孔を有し、前記ラッチ体は、前記透孔と前記厚さ方向において連通する突子受孔を有し、前記ハンドルの前記作用突子は前記透孔から前記突子受孔に挿入されており、施錠状態において、前記作用突子と前記突子受孔の後方内壁との間には、前記ラッチ体を後退させるための解除具の先端が進退可能に挿入される第１操作スペースが形成されており、前記突子受孔の前記後方内壁の正面側の端縁は、後方へ傾斜しており、前記後方内壁は、前記作用突子が当接する水平面と、前記端縁からなる傾斜面とを有し、前記解除具は、前記ハンドルと前記透孔の内壁との間から前記第１操作スペースに挿入可能であって、その一部が前記ハンドルに当接し、かつ、他の部分が前記透孔の内壁に当接した状態でそれらを支点として前記ラッチ体を後退させることができ、前記ラッチ体は、背面側から正面側へ延びる背面開口部を有し、前記背面開口部内には前記解除具の先端が進退可能に挿入される第２操作スペースが形成されることを特徴とする。
【００１０】
本発明に係る平面ハンドル装置の他の実施態様の一つとしては、前記ハンドルの前記作用突子と前記傾斜面との傾斜角度は、約１５〜４５度である。
【００１２】
本発明に係る平面ハンドル装置のさらに他の実施態様の一つとしては、前記ラッチ体を背面側から被覆する背面パネルをさらに有し、前記背面パネルには前記厚さ方向において前記背面開口部と連通する挿通孔を有し、前記挿通孔の前記前後方向の寸法は、前記背面開口部の前記前後方向の寸法よりも大きくなっている。
【００１３】
本発明に係る平面ハンドル装置のさらに他の実施態様の一つとしては、前記背面開口部は前記突子受孔よりも後方に位置する。
【発明の効果】
【００１４】
本発明に係る平面ハンドル装置によれば、施錠状態において、ハンドルの作用突子とラッチ体の突子受孔の後方内壁との間にはラッチ体を付勢に抗して後退させるための解除具の先端が挿入可能な第１操作スペースが位置しているので、ハンドルの一部が破損してハンドル操作ができないような非常時においても、ラッチ体を付勢に抗して押し下げて、簡易かつ速やかに解錠することができる。
【図面の簡単な説明】
【００１５】
【図１】平面ハンドル装置の施錠状態における斜視図。
【図２】平面ハンドル装置の解錠状態における斜視図。
【図３】平面ハンドルの分解斜視図。
【図４】平面ハンドルの正面図。
【図５】第１非常時用解錠機構の様子を示す、図１に示すＩＶ−ＩＶ線に沿う模式的断面図。
【図６】図５において仮想線ＶＩで囲んだ領域の一部拡大図。
【図７】第１非常時用解錠機構によって解錠された状態を示す、図５と同様の模式的断面図。
【図８】第２非常時用解除機構の様子を示す、図５と同様の模式的断面図。
【図９】第２非常時用解錠機構によって解錠された状態を示す、図７と同様の模式的断面図。
【発明を実施するための形態】
【００１６】
図１〜３を参照すると、平面ハンドル装置１０は、前方Ｘ及び後方Ｙと、それらに直交する横断方向Ｚとを有し、正面にハンドル収納用の正面凹部２１を有するケース２０と、ケース２０に収容され、横断方向Ｚへ延びるピン１２が挿通された前端を支点として引き出し旋回可能に正面凹部２１に収容されたハンドル３０と、ケース２０に前後方向Ｘ，Ｙへ直線往復可能に収容されたラッチ体４０とを備える。平面ハンドル装置１０は、扉等の可動パネル１１ａの取付け孔（図示せず）に嵌着して使用される。また、説明の便宜上、平面ハンドル装置１０を可動パネル１１ａに取り付けるためにボルトは、図面において省略する。
【００１７】
ケース２０は、中央に正面凹部２１を有する取付プレート部２２と、取付プレート部２２の背面側に延出する周壁１８と、周壁１８に囲繞されたラッチ体４０が収容されるラッチ体収容部２３とを有する。取付プレート部２２は、扉等の可動パネル１１ａに固定するための複数の取付孔２２ａとハンドル３０の作用突子３３が挿入される透孔２４とを有し、正面凹部２１を形成する周壁の前端側には、横断方向Ｚに延びるピン１２を挿入するための一対のピン孔２２ｂが横断方向Ｚにおいて離間対向して位置する。
【００１８】
ハンドル３０は、ピン１２を介してケースに固定される基部３１と、施錠状態において基部３１から後方Ｙへ延びる略Ｕ字状の把持部３２と、基部３１の背面から延びる作用突子３３とを有する。ハンドル３０の基部３１には、横断方向Ｚに延びるピン挿通孔３１ａが形成されており、ハンドル３０をケース２０の正面凹部２１に配置した状態において、取付プレート部２２のピン孔２２ｂと基部３１のピン挿通孔３１ａとが連通し、それらを貫通するピン１２を中心としてハンドル３０が引き出し旋回可能に軸支される。
【００１９】
ラッチ体４０は、傾斜状の先端（ラッチ）４１ａを有する前方部分４１と、内部にばね５０を装填するための（後端）開口を有する後方部分４２とを有する。前方部分４１は、前後方向Ｘ，Ｙへ延びる長孔状の突子受孔４３を有し、前方部分４１と後方部分４２との間には、それらよりも肉薄の中間部４４が形成されている。後方部分４２の前方Ｘ側は、横断方向Ｚへ張り出したフランジ４５が位置し、ラッチ体４０の後端開口からばね５０が後方部分４２の内部に装填されることによって、ラッチ体４０は前方Ｘへ付勢される。ラッチ体４０の中間部４４の背面には、小円形状の背面開口部１７が位置する。
【００２０】
ハンドル３０は、ピン１２を介してケース２０に軸支されている状態において、作用突子３３がラッチ体４０の突子受孔４３に挿入される。ラッチ体４０がばね５０によって前方Ｘへ付勢されているので、作用突子３３は、その基端部分がケース２０の透孔２４の前方内壁に当接するとともに、その先端がラッチ体４０の突子受孔４３の後方内壁４３ａに当接してそれらの間に挟持されて、ほぼ水平の状態となる。ラッチ体４０の先端４１ａは、ケース２０の前端から前方Ｘへ突出し、固定パネル１１ｂ側のラッチ受部１３に嵌挿され、施錠される。かかる施錠状態から、ハンドル３０を起立する方向へ引き出し旋回することによって、作用突子３３が後方へ傾斜して、その先端がばね５０による付勢に抗してラッチ体４０を後退させ、ラッチ体４０の先端（ラッチ）４１ａがラッチ受部１３から離脱して解錠される。ハンドル３０は、施錠状態（正面凹部２１に収容されている状態）から約３０〜５０度引き出し旋回可能であって、ハンドル３０から手を離すと、ばね付勢によってラッチ体４０が前進してハンドル３０が旋回し、作用突子３３の基端部分が再び透孔２４の前方内壁に当接して施錠状態となる。また、オプションとして、正面凹部１２の底面には、施錠状態においてハンドル３０の把持部３２が当接される一対の突起２７が設けられる。
【００２１】
図３を参照すると、ケース２０の背面側を被覆する背面パネル８０は、ラッチ体収容部２３を囲繞する周壁１８とほぼ同形である。背面パネル８０は、ラッチ体収容部２３内にラッチ体４０が収容された状態において、そのねじ孔８１と周壁１８に位置するねじ孔８４にねじ８３を螺合することによってケース２０に固定される。背面パネル８０の中央部には、前後方向Ｘ，Ｙへ延びる挿通孔８５が形成される。挿通孔８５は、後記の本願発明の効果を奏する限りにおいて、横断方向Ｚに延びていてもよいし、複数形成されていてもよい。
【００２２】
＜第１非常用解錠機構＞
図５〜図７を参照すると、ラッチ体４０の突子受孔４３の後方内壁４３ａは、作用突子３３が当接される水平面４９ａと後方内壁４３ａの正面側の端縁からなる、水平面４９ａから後方Ｙへ斜めに延びる傾斜面４９ｂとから形成される。施錠状態、すなわち、ハンドル３０の基部３１が透孔２４の前方内壁に当接し、かつ、作用突子３３がラッチ体４０の突子受孔４３の後方内壁４３ａに当接してハンドル３０がそれらの部材に挟持固定されている状態において、作用突子３３と突子受孔４３の後方内壁４３ａとの間には、後方内壁４３ａの正面側の端縁が後方Ｙへ傾斜していることによって、第１操作スペースＳ１が形成される。
【００２３】
かかる第１操作スペースＳ１に、マイナスドライバーや閂等の細棒状の解除具１５を挿入することによって、非常時においても施錠を解除することができる。すなわち、例えば、経時劣化や比較的に強い力による引き出し旋回操作によって、ハンドル３０の把持部３２や基部３１が変形したり折れたりした場合においては、ハンドル３０の旋回操作によって施錠を解除することができない。かかる場合において、平面ハンドル装置１０の正面側から取付プレート部２２の透孔２４の第１操作スペースＳ１に解除具１５の先端１５ａを挿入して、先端１５ａを突子受孔４３の後方内壁４３ａに当接させた状態においてラッチ体４０をばね付勢に抗して後退させることによって、ラッチ体４０の先端４１ａがラッチ受部１３から離脱し、施錠が解除される。このように、本発明に係る平面ハンドル装置１０は、ハンドル３０の一部の破損によって操作ができない等の非常時であっても、簡易かつ迅速に施錠を解除することができる。
【００２４】
作用突子３３と突子受孔４３の後方内壁４３ａ全体とが、ほぼ面状に当接する場合には、解除具１５の先端１５ａを差し込むための隙間である第１操作スペースＳ１が形成されないので、解除具１５の先端１５ａをラッチ体４０に当接させてそれをばね付勢に抗して後退させることができない。本実施形態における平面ハンドル装置１０においては、突子受孔４３の後方内壁４３ａの端縁を後方Ｙへ傾斜させることによって第１操作スペースＳ１を形成しており、具体的には、第１操作スペースＳ１は、後方内壁４３ａの傾斜面４９ｂとハンドル３０の作用突子３３との間の空隙から形成される。第１操作スペースＳ１の大きさは、それを外部から視認させるか又は隠蔽させるかによって、また、解除具１５の先端１５aの大きさ等に適宜変更されるものであるところ、第１操作スペースＳ１を形成するハンドル３０の作用突子３３と傾斜面４９ｂとの傾斜角θは、約１５〜４５度以下であることが好ましい。傾斜角θが約４５度以上の場合には、解除具１５の先端１５ａが第１操作スペースＳ１に入り込む前に作用突子３３に当たって解除操作がし難くなり、一方、傾斜角θが約１５度以下の場合には、比較的に第１操作スペースＳ１の開口寸法が小さくなって、解除具１５の先端１５ａが挿入し難くなり、無理に挿入すると先端１５ａを抜き出し難くなるおそれがある。また、図７を参照すると、解除具１５は、第１操作スペースＳ１に先端を挿入した状態において、その一部がハンドル３０に当接し、かつ、他の部分が透孔２４の内壁に当接しているので、それらを支点としてより簡易にラッチ体４０を後退させることができる。このように、梃子の原理を利用して解除操作をすることが可能になるので、比較的に小さな力で解除具１５を操作することができる。
【００２５】
＜第２非常用解錠機構（背面側）＞
図８及び９を参照すると、背面パネル８０の挿通孔８５とラッチ体４０の背面開口部１７とは、厚さ方向において互いに重なって位置する。背面開口部１７内には、解除具１５の先端１５ａが進入可能な第２操作スぺースＳ２が形成されている。平面ハンドル装置１０を室内扉の施錠用として用いた場合であってハンドル３０の破損等によってハンドル操作ができないときには、平面ハンドル装置１０の背面側から施錠を解除しなければならない。かかる場合において、操作者が解除具１５を挿通孔８５から平面ハンドル装置１０内に進入させて背面開口部１７内の第２操作スペースＳ２に到達させ、背面開口部１７の後方内壁１７ａに先端１５ａを押し当てながらラッチ体４０をばね付勢に抗して後退させることによって、ラッチ体４０の先端４０ａがラッチ受部１３から離脱して、施錠が解除される。
【００２６】
このように、ハンドル３０の旋回操作ができない非常時において、平面ハンドル装置１０の背面側から解除具１５の先端１５ａを差し入れることによって簡易かつ迅速に解錠することができる。背面側からの解錠を容易に行うためには、背面パネル８０の挿通孔８５とラッチ体４０の背面開口部１７とが厚さ方向において連通しており、かつ、挿通孔８５の前後方向Ｘ，Ｙの長さ寸法が背面開口部１７の前後方向Ｘ，Ｙにおける寸法（背面開口部１７が円形の場合には、直径）よりも大きいことが好ましい。すなわち、図９に示すとおり、挿通孔８５から背面開口部１７にほぼ水平に解除具１５の先端１５ａを進入させ、解除具１５をそのまま後方Ｙへ移動させてラッチ体４０を後退させるためには、挿通孔８６５は背面開口部１７に比べて前後方向Ｘ，Ｙの寸法が大きいことが好ましく、具体的には、前者が後者の約２〜４倍の大きさであることが好ましい。
【００２７】
本実施形態においては、背面開口部１７は背面側から正面側へ延びる凹状溝であるところ、ラッチ体４０を厚さ方向へ貫通する貫通孔であってもよいし、断面円形ではなく矩形、多角形であってもよいし、挿通孔８５と連通する複数の開口部が形成されていてもよい。また、解除具１５の挿抜をより容易にするために、先端１５ａの外形寸法は、第２操作スペースＳ２のそれよりも小さく、先端１５ａを挿入したときに背面開口部１７の内壁との間に所定のクリアランスが形成されることが好ましい。また、本実施形態においては、解除具１５の先端１５ａが先鋭状であって、背面開口部１７の背面側の端縁１７ｂに先端１５ａが当接してそのままラッチ体４０が後退されるところ、かかる当接部分である端縁１７ｂは、摩擦による摩耗等を防止するために曲状であることが好ましい。また、より確実にラッチ体４０を後退させるために、解除具１５の先端１５ａが背面開口部１７の後方内壁１７ａ全体に当接するように設計してもよい。また、第２非常用解錠機構を構成する第２操作スペースＳ２は、第１非常用解錠機構を構成する第１操作スペースＳ１よりも後方へ位置している。既述のとおり、第１非常用解除機構においては、てこの原理によって解除操作を比較的に簡易に行うことができる一方、第２非常用解除機構においては、解除具を背面開口部１７に対してほぼ水平に又は僅かに傾斜して挿し込んでラッチ体４０をばね付勢に抗してそのまま後退させなければならないので、解除操作時における安定性が第１非常解除機構よりも求められる。本実施形態においては、第２非常解除機構が第１非常解除機構よりも後方であって、かつ、ラッチ体４０の中央部に位置することによって、ラッチ体４０の前後方向Ｘ，Ｙにおける長さ寸法が比較的に大きい場合であっても、それがラッチ体４０の両端側に位置する場合に比して、ふらつきを防止して安定的に解除操作を行うことができる。
【００２８】
本発明に係る平面ハンドル装置１０は、正面側に位置する第１非常用解錠機構と背面側に位置する第２非常用解錠機構とを備えることによって、ハンドル３０の一部が破損してハンドル操作ができない等の非常時においても、正面側及び／又は背面側から第１及び／又は第２操作スペースＳ１，Ｓ２に解除具１５の先端１５ａを挿し入れてラッチ体４０をばね付勢に抗して後退させることによって速やかに解錠することができる。かかる非常用解錠機構としては、平面ハンドル装置１０の用途に応じて、第１非常用解錠機構又は第２非常用解除機構の少なくも一方を備えていればよく、ケース２０やハンドル３０等の各種構成部材の形状は、図示された態様に限らず、他の公知の形状を適宜採用することができる。
【符号の説明】
【００２９】
１０  平面ハンドル装置
１５  解除具
１５ａ  解除具の先端
１７  背面開口部
２０  ケース
２４  透孔
３０  ハンドル
３３  作用突子
４０  ラッチ体
４３  突子受孔
４３ａ  突子受孔の後方内壁
４９ａ  突子受孔の後方内壁の水平面
４９ｂ  突子受孔の後方内壁の傾斜面
８０  背面パネル
８５  挿通孔
Ｘ  前方
Ｙ  後方
【要約】
【課題】ハンドルによる解錠操作ができないような非常時においても、簡易かつ迅速に解錠することのできる機構を備えた平面ハンドル装置の提供。
【解決手段】ケース２０と、ケース２０に引き出し旋回可能に軸支されたハンドル３０と、前方Ｘへばね付勢された状態でケース２０内に収納され、ハンドル３０の旋回と連動して前後方向Ｘ，Ｙへ直線往復運動可能なラッチ体４０とを備え、ケース２０は、ハンドル３０の作用突子３３が挿通される透孔２４を有し、ラッチ体４０は透孔２４と厚さ方向において連通する突子受孔４３を有し、ハンドル３０の作用突子３３は透孔２４から突子受孔４３に挿入されており、施錠状態において、作用突子３３と突子受孔４３の後方内壁４３ａとの間には、ラッチ体４０をばね付勢に抗して後退させるための解除具１５の先端１５ａが挿入可能な第１操作スペースＳ１が形成される。
【選択図】図５【図１】
0005597785.tif 000002
【図２】
0005597785.tif 000003
【図３】
0005597785.tif 000004
【図４】
0005597785.tif 000005
【図５】
0005597785.tif 000006
【図６】
0005597785.tif 000007
【図７】
0005597785.tif 000008
【図８】
0005597785.tif 000009
【図９】
0005597785.tif 000010